(57)【要約】【課題】  作品発表の機会が少い音楽著作権を試聴可能として、迅速かつ容易に売買、譲渡でき、トラブルを可及的に少くすることができる音楽著作権のオークションシステムを提供する。【解決手段】  インターネット等のネットワーク上において、音楽著作権の出品をする出品者の出品者端末と、音楽著作権の入札をする入札者の入札者端末と、これら出品者と入札者の仲介をする運営側の運営側サーバーとを備えてなり、出品者の出品要求と入札者の入札とにより、最高価格で落札するようにしたことを特徴とする音楽著作権のオークションシステムである。【選択図】図１
2013037662.tif 000002
【特許請求の範囲】
【請求項１】
インターネット等のネットワーク上において、
音楽著作権の出品をする出品者の出品者端末と、
音楽著作権の入札をする入札者の入札者端末と、
これら出品者と入札者の仲介をする運営側の運営側サーバーと、
を備えてなり、
（１）出品者の出品要求を受信して試聴可能な出品情報を表示して提供する機能と、
（２）入札者の入札価格等の入札情報を伴う入札要求を受信して、入札情報をその都度更新して表示する機能と、
（３）最高価格で入札した入札者を落札者として表示する機能と、
（４）落札者に送信して落札を確認する機能と、
を有する、
ことを特徴とする音楽著作権のオークションシステム。
【請求項２】
入札価格が特定価格単位の積上方式である、
ことを特徴とする請求項１記載の音楽著作権のオークションシステム。
【請求項３】
落札者と出品者との契約を仲介する、
ことを特徴とする請求項１又は２記載の音楽著作権のオークションシステム。
【請求項４】
対面式オークションシステムにおける入札情報を取込表示する、
ことを特徴とする請求項１〜３のいずれかに記載の音楽著作権のオークションシステム。
【発明の詳細な説明】
【技術分野】
【０００１】  本発明は著作権のオークションシステムに関するものである。
【背景技術】
【０００２】  従来、音楽の制作依頼を第３者に依頼する場合、依頼者が望んでなかった作曲や作詞の場合も、それを買い取るかそれ相当の謝礼が必要であった。【０００３】  一方、このような制作依頼のない無名人や新人は、作詞・作曲の才能があっても、音楽家として世にでることは稀であった。【０００４】  また、これらの者は、音楽著作権に疎く、日本音楽著作権協会（ＪＡＳＲＡＣ）に登録する手間と費用とがなく、作品発表の機会がなく、デビューが困難であるという問題点があった。【０００５】  さらに、これらの者は、著作権に関して権利意識が薄く、トラブルを生じ易いという問題点があった。
【発明の概要】
【発明が解決しようとする問題】
【０００６】  本発明は、このような問題点に鑑みてなされたものであって、上記日本音楽著作権協会（ＪＡＳＲＡＣ）に登録せずに、作詞・作曲した個人が、音楽著作権を売買・譲渡できるようにしたものである。
【課題を解決するための手段】
【０００７】  本発明は、このような目的を達成するためになされたものであり、音楽著作権の出品者は出品して試聴可能とし、それを試聴した入札者が、希望の金額で落札可能とした音楽著作権のオークションシステムを提供するものである。
【発明の効果】
【０００８】（１）音楽著作権の売買・譲渡に関するトラブルを可及的に少なくすることができる。
（２）音楽著作権の売買・譲渡が迅速かつ容易となる。
（３）作詞・作曲の能力がないものでも、自身のオリジナル曲を持つことができ、他人の曲では限られた範囲での活動しかできなかったものが、活動の幅がふえる。
（４）出品者は音楽著作権を売ることで、収益を得ることができ、落札者は、気に入った音楽著作権を容易に手に入れることができる。
（５）落札者は落札した曲に自身が新たにオリジナルの作詞、作曲をつけて利用することができ、音楽活動の幅が広がる。
（６）作詞・作曲者、演奏者にとって、多くの利点がある。
【図面の簡単な説明】
【０００９】
【図１】本発明の実施形態を示す音楽著作権のオークションシステムの構成を示す概略説明図である。
【図２】同音楽著作権のオークションシステムのフローチャートである。
【図３】同システムの画面例１を示す図である。
【図４】同システムの画面例２を示す図である。
【図５】同システムの画面例３を示す図である。
【図６】同システムの画面例４を示す図である。
【図７】同システムの画面例５を示す図である。
【図８】同システムの画面例６を示す図（著作権譲渡契約書）である。
【発明を実施するための形態】
【００１０】  以下、本発明の実施の形態を図１〜図８に基づいて説明する。
【００１１】  本発明は、音楽著作権を売買するためのオークションシステムに関し、音楽著作権の売買を迅速かつ容易としたものである。
【００１２】  本発明の音楽著作権のオークションシステム１は、インターネット等のネットワーク２上において、音楽著作権のオークションを行うものであって、音楽著作権の出品をする出品者の出品者端末３と、音楽著作権の入札をする入札者の入札者端末４と、これら出品者と入札者との仲介をする運営側の運営側サーバー５とを備えている。
【００１３】  上記出品者端末３は、ネットワーク接続機能を有するパーソナルコンピュータで構成されるが、ネットワーク接続機能を有するものであれば、携帯電話等の移動体端末その他の機器であってもよく、出品者の出品要求を運営側サーバー５に送信したり、運営側サーバー５からの通信を受信したりする。
【００１４】  また、上記入札者端末４は、上記出品者端末３と同様にネットワーク接続機能を有するパーソナルコンピュータで構成されるが、ネットワーク接続機能を有するものであれば、携帯電話等の移動体端末その他の機器であってもよく、入札者の入札情報を運営側サーバー５に送信したり、入札情報を閲覧したり、運営側サーバー５からの送信を受信したりする。
【００１５】  さらに、前記運営側サーバー５は、出品者端末３からの出品情報に基づいてオークションを開催すると共に、オークションの管理を行う。このオークションは、価格が順次上っていく積上方式のものであり、価格を可及的に高くでき、入札者は適当な価格で入札し、最高価格が落札価格となる。従って、最高価格となったところで入札が終了し、落札者が決定し、落札者に対して落札の確認と決済とを行う。
【００１６】  次に、図１〜図８を参照して、オークションシステムの処理動作について説明する。
【００１７】  このオークションシステム１に参加するには、出品者、入札者ともに会員登録をしてもらう。この会員登録には、オークションの利用規約に同意した上で、氏名、住所、生年月日、性別、職業、クレジット番号、電話番号、ＦＡＸ番号、メールアドレス等を申告してもらう。この申告は、原則として利用者端末を使って、オークションシステム１で行うが、書面や電話でもよい。これを審査して会員と認めた場合は、この情報をデータベースに記憶して、利用者端末（出品者端末３及び入力者端末４）にはログインＩＤとパスワードを付与する（図３参照）。
【００１８】  この際、偽りアドレス・間違いアドレスの登録を避けるためにも、登録フォーム送信後、認証パスワードを登録したメールアドレス宛に送り、認証ページでそのパスワードを入力してから正規ユーザーとして登録される。
【００１９】  次に、利用登録をすませた出品者は、自身が制作した又はあらかじめ保有している音楽著作権の譲渡したい音楽を出品者端末３よりオークションシステムを運営する運営側サーバー５へ送信（アップロード）する。その際に、例えばサビなどの音楽のメインとなる部分を３０秒以内にまとめたものと、音楽のフルコーラスの２パターンをアップロードすることもできる。
【００２０】  音楽著作権をオークションシステム１に出すには、出品手順に添って、出品する音楽の詳細についての基本情報を入力する。この基本情報には、▲１▼曲名、▲２▼作曲者、▲３▼作詞者、▲４▼楽曲の時間、▲５▼スタート価格、▲６▼希望落札価格、▲７▼開始日時、▲８▼終了日時、▲９▼楽曲のジャンル、▲１０▼キーワード等がある（図３参照）。
【００２１】  次に、出品手順に従って、出品する音楽についての出品オプション情報である▲１▼音源の受け渡し方法、▲２▼カラオケ版、▲３▼歌詞、▲４▼コード進行表、▲５▼楽譜、▲６▼その他事項について入力する。
【００２２】  さらに、出品手順に従って、支払方法、受け渡しに関する詳細、その他の連絡事項を入力する。
【００２３】  この際、出品された音楽データは、図６、図７に示すように、運営側サーバー５にて試聴可能に公開され、オークション時間内に最高値をつけた入札者に、もしくは、出品者が指定の希望落札価格で落札した入札者に音楽著作権を譲渡することになる。
【００２４】  この際、オークションシステム１の閲覧のみは、会員登録をしなくても利用可能であるが、入札を希望するものは、事前に会員登録しておく必要がある。
【００２５】  このオークションシステム１には、多数の音楽著作権が出品されていることから、希望の音楽を▲１▼曲名、▲２▼楽曲の時間、▲３▼作詞者、▲４▼作曲者、▲５▼現在の価格、▲６▼楽曲のジャンル、▲７▼キーワード等で検索を行い、絞り込むことができる。
【００２６】  入札者は、ある程度絞り込んだ段階で、例えばサビなどの楽曲のメインとなる部分を３０秒以内にまとめたもの試聴し、さらに興味があるものについては、音楽のフルコーラスで試聴し、落札したい音楽を決定する。
【００２７】  次に、落札したい音楽が決定したら、ログインしていない場合は、ログインし、出品者情報、楽曲情報、楽曲オプション情報を確認し、利用規約に同意し、希望の金額で入札を行う。不明な点や質問等があれば、事前に出品者に確認をしておく（図７参照）。
【００２８】  さらに、出品者が指定した希望落札価格での入札の場合は、入札と同時に落札となり、終了時間までに自身が入札した入札価格を上回る入札者があらわれなかった場合は落札となるが、自身が入札した入札価格を上回る入札者があらわれた場合は、再度入札を行わないと自身が落札することはできない。この際、運営側サーバー５は、入札情報をその都度更新して表示する。
【００２９】  つづいて、落札者が決まった後は、オークションシステム１の取引連絡、もしくは入札者情報に記載されている入札者のメールアドレスへ取引手順に従い取引連絡（落札の確認と決済の催促、音源データ及び、オプションとしての歌詞、楽譜等の送付）を行う。
【００３０】  この際、オークションシステム１で著作権譲渡契約書を出品者、落札者で交わす（図８参照）。
【００３１】  この落札者は、落札代金を決済する。
【００３２】  また、取引時間内に落札されなかった音楽著作権については、権利はそのまま出品者に戻ることから、再度出品することも可能である。
【００３３】  尚、本発明は、上記実施の形態に限定されるものでなく、例えば、対面式オークションシステムにおける入札情報を取込表示することができる。この際、対面式オークションの入札情報を取込むことで画面に表示でき、この他、対面式オークションそのものを実況中継することで入札情報を取込表示することができる。
【００３４】  また、入札価格を特定価格単位の積上方式とすることもでき、迅速化を図ることができる。
【００３５】  さらに、落札者と出品者との契約を運営側サーバー５が仲介することができる。
【００３６】  また、落札代金の決済は、運営側サーバー５に電子決済にて行うが、決済サーバーを付設して行うこともできる。さらに、決済は銀行振込や現金払によっても行うことができる。
【符号の説明】１  音楽著作権のオークションシステム
２  ネットワーク（インターネット等）
３  出品者端末
４  入札者端末
５  運営側サーバー
【図１】
2013037662.tif 000003
【図２】
2013037662.tif 000004
【図３】
2013037662.tif 000005
【図４】
2013037662.tif 000006
【図５】
2013037662.tif 000007
【図６】
2013037662.tif 000008
【図７】
2013037662.tif 000009
【図８】
2013037662.tif 000010